(57)【特許請求の範囲】
【請求項１】
第１の棚板と、前記第１の棚板の上方に位置し且つ釣り下げ部を備えた天板または第２の棚板とを備えた収納棚と、
安全弁を備えた電池を内蔵し、且つ、前記安全弁が前記天板または前記第２の棚板に向かうように前記第１の棚板に配置された第１及び第２の電池モジュールと、
前記第１及び第２の電池モジュールを電気的に接続し、且つ、前記釣り下げ部に釣り下げられた電力配線と
を有し、
前記安全弁からガスが噴出した場合、前記ガスの熱によって前記釣り下げ部の近辺で前記電力配線が断線することを特徴とする収納装置。
【請求項２】
前記釣り下げ部は、前記天板または前記第２の棚板の端を折り曲げて形成された第一鉤部であることを特徴とする請求項１に記載の収納装置。
【請求項３】
前記第一鉤部は凸部を備え、前記凸部に前記電力配線を引っ掛けることで前記電力配線を釣り下げることを特徴とする請求項２に記載の収納装置。
【請求項４】
前記釣り下げ部は、前記天板または前記第２の棚板の面内に配置された第二鉤部であることを特徴とする請求項１に記載の収納装置。
【請求項５】
前記第二鉤部は、Ｌ字型の部材であることを特徴とする請求項４に記載の収納装置。
【請求項６】
第１の棚板と、前記第１の棚板の上方に位置し且つ第１の釣り下げ部を備えた第２の棚板と、前記第２の棚板の上方に位置し且つ第２の釣り下げ部を備えた第３の棚板とを備えた収納棚と、
安全弁を備えた電池を内蔵し、且つ、前記安全弁が前記第２の棚板に向かうように前記第１の棚板に配置された第１及び第２の電池モジュールを含む第１のアームと、
前記第１及び第２の電池モジュールを電気的に接続し、且つ、前記第１の釣り下げ部に釣り下げられた第１の電力配線と、
安全弁を備えた電池を内蔵し、且つ、前記安全弁が前記第３の棚板に向かうように前記第２の棚板に配置された３及び第４の電池モジュールを含む第２のアームと、
前記第３及び第４の電池モジュールを電気的に接続し、且つ、前記第２の釣り下げ部に釣り下げられた第２の電力配線と、
電力負荷と、
前記第１のアーム、前記第２のアーム、及び前記電力負荷を電気的に並列に接続する第３の電力配線と
を有し、
前記第１のアームに含まれる前記電池の安全弁からガスが噴出した場合、前記ガスの熱によって前記第１の釣り下げ部の近辺で前記第１の電力配線を断線させ、前記第２のアーム及び前記電力負荷から前記第１のアームを電気的に切り離すことを特徴とする電池システム。
【発明の詳細な説明】
【技術分野】
【０００１】
本発明は、安全弁を備えた電池を収納する収納装置および当該収納装置を用いた電池システムに関する。
【背景技術】
【０００２】
近年、リチウムイオン二次電池などの電池は、電気自動車などの移動体用の電池システムや、風車や太陽光のような自然エネルギー発電と組み合わせた系統連系円滑化蓄電システムなどの定置用の電池システムに用いられている。そして、これら電池システムのうち、大電力を出力することができる電池システムにおいては、例えば、コンテナまたは建物の内部に複数の収納棚を配置して、これら収納棚に多数の電池を配置し且つこれら電池を直列または並列に接続した構成を採用する場合がある。
当該構成を採用する電池システムでは、万一、電池に異常が生じた場合に、当該電池システムの安全性を確保すべく、様々な安全装置が設置される。例えば、電池に異常（例えば、過充電）が発生して電池に備えられた安全弁が開放されると、電池システムの安全性の観点から当該電池の使用を停止且つ交換する等の早期のメンテナンスが必要であるため、当該安全弁から噴出したガス圧で断線する検知線を配置して当該開放を検知する技術（特許文献１及び特許文献２参照）が報告されている。
また、電池に異常が生じて、例えば電池から過電流が流れた場合に、電池システムの電力配線を断線させて電池システムの安全性を図る技術（特許文献３参照）が報告されている。
【先行技術文献】
【特許文献】
【０００３】
【特許文献１】特開平１１−１６２５２７号公報
【特許文献２】特開２００５−３２２４７１号公報
【特許文献３】特開平６−３２１０２７号公報
【発明の概要】
【発明が解決しようとする課題】
【０００４】
しかしながら、特許文献１及び特許文献２に開示の技術は、電池の性能を計測するために一般的に配置される電圧センサー、電流センサー、および温度センサーの他に、かような検知線を配置することは、コストアップとなる。
また、当該検知線は安全弁から噴出したガス圧によって断線させるため、安全弁の直上かつ近傍の所定位置に配置する必要がある。しかし、電池システムに生じた振動等で、検知線が当該所定位置から多少なりともズレると、安全弁が開放されても検知線が断線しないため、電池システムにおいてはもはや安全弁の開放を検知することができない。さらに、検知線が安全弁の開放により断線しても、それを検出する装置が故障している場合がありうる。これらの場合には、電池システムで使用している電池の異常をユーザーは認識することができない。
さらに、一般的に、電池システムの上位制御装置が電池システムに備えられた電池の出力を制御するが、上位制御装置の種類や仕様によっては、検知線が断線した場合にもシステムの動作状態次第で当該上位制御装置が当該出力を即座に停止しない場合がある。
従って、特許文献１及び特許文献２に開示の技術は、電池システムの安全性を確保する観点からは未だ不十分であった。
一方、特許文献３に開示の技術は、過電流が生じた場合にヒュージブルリンクが断線して上記出力を停止するので、上位制御装置等の種類、仕様、または状態によらず、電池システムの安全性を確保することができるようにも思われる。しかしながら、ヒュージブルリンクは、許容電流値を超える電流が流れなければ断線しないため、許容電流値以内の電流が長時間流れることで電池に異常（例えば過充電）が発生した場合には、やはり電池システムの安全性を確保することが困難であった。
そこで、本発明は、電池の安全弁が開放された際に、電池システムのコストアップを招くことなく、電池システムの安全性を確保することができる収納装置および当該収納装置を用いた電池システムを提供することを目的とする。
【課題を解決するための手段】
【０００５】
上記目的を達成するために、本発明の収納装置は、第１の棚板と、前記第１の棚板の上方に位置し且つ釣り下げ部を備えた天板または第２の棚板とを備えた収納棚と、前記第１の棚板に配置され、且つ、安全弁を備えた電池を内蔵した第１及び第２の電池モジュールと、前記第１及び第２の電池モジュールを電気的に接続し、且つ、前記釣り下げ部に釣り下げられた電力配線とを有し、前記安全弁からガスが噴出した場合、前記ガスの熱によって前記釣り下げ部の近辺で前記電力配線が断線することを特徴とする。
【０００６】
また、本発明の電池システムは、第１の棚板と、前記第１の棚板の上方に位置し且つ第１の釣り下げ部を備えた第２の棚板と、前記第２の棚板の上方に位置し且つ第２の釣り下げ部を備えた第３の棚板とを備えた収納棚と、前記第１の棚板に配置され、且つ、安全弁を備えた電池を内蔵した第１及び第２の電池モジュールを含む第１のアームと、前記第１及び第２の電池モジュールを電気的に接続し、且つ、前記第１の釣り下げ部に釣り下げられた第１の電力配線と、前記第２の棚板に配置され、且つ、安全弁を備えた電池を内蔵した第３及び第４の電池モジュールを含む第２のアームと、前記第３及び第４の電池モジュールを電気的に接続し、且つ、前記第２の釣り下げ部に釣り下げられた第２の電力配線と、電力負荷と、前記第１のアーム、前記第２のアーム、及び前記電力負荷を電気的に並列に接続する第３の電力配線とを有し、前記第１のアームに含まれる前記電池の安全弁からガスが噴出した場合、前記ガスの熱によって前記第１の釣り下げ部の近辺で前記第１の電力配線を断線させ、前記第２のアーム及び前記電力負荷から前記第１のアームを電気的に切り離すことを特徴とする。
【０００７】
上記目的を達成するために、本発明の収納装置は、第１の棚板と、前記第１の棚板の上方に位置し且つ釣り下げ部を備えた天板または第２の棚板とを備えた収納棚と、安全弁を備えた電池を内蔵し、且つ、前記安全弁が前記天板または前記第２の棚板に向かうように前記第１の棚板に配置された第１及び第２の電池モジュールと、前記第１及び第２の電池モジュールを電気的に接続し、且つ、前記釣り下げ部に釣り下げられた電力配線とを有し、前記安全弁からガスが噴出した場合、前記ガスの熱によって前記釣り下げ部の近辺で前記電力配線が断線することを特徴とする。
【発明の効果】
【０００８】
また、本発明の電池システムは、第１の棚板と、前記第１の棚板の上方に位置し且つ第１の釣り下げ部を備えた第２の棚板と、前記第２の棚板の上方に位置し且つ第２の釣り下げ部を備えた第３の棚板とを備えた収納棚と、安全弁を備えた電池を内蔵し、且つ、前記安全弁が前記第２の棚板に向かうように前記第１の棚板に配置された第１及び第２の電池モジュールを含む第１のアームと、前記第１及び第２の電池モジュールを電気的に接続し、且つ、前記第１の釣り下げ部に釣り下げられた第１の電力配線と、安全弁を備えた電池を内蔵し、且つ、前記安全弁が前記第３の棚板に向かうように前記第２の棚板に配置された第３及び第４の電池モジュールを含む第２のアームと、前記第３及び第４の電池モジュールを電気的に接続し、且つ、前記第２の釣り下げ部に釣り下げられた第２の電力配線と、電力負荷と、前記第１のアーム、前記第２のアーム、及び前記電力負荷を電気的に並列に接続する第３の電力配線とを有し、前記第１のアームに含まれる前記電池の安全弁からガスが噴出した場合、前記ガスの熱によって前記第１の釣り下げ部の近辺で前記第１の電力配線を断線させ、前記第２のアーム及び前記電力負荷から前記第１のアームを電気的に切り離すことを特徴とする。
【図面の簡単な説明】
【０００９】
【図１】本発明の第１実施形態の収納装置の概要図である。
【図２】図１の収納装置の釣り下げ部を説明するための概要図である。図２（ａ）は、当該収納装置の側面（ＹＺ平面）の概要図である。図２（ｂ）は、ＹＺ平面から見た釣り下げ部の概要図であり、図２（ｃ）は、ＸＺ平面から見た釣り下げ部の概要図である。
【図３】本発明の第２実施形態の収納装置における釣り下げ部を説明するための概要図である。図３（ａ）は、当該収納装置の側面（ＹＺ平面）の概要図である。図３（ｂ）は、ＸＺ平面から見た釣り下げ部の概要図である。
【図４】図１または図３で示した収納装置を複数組み合わせた本発明の第３実施形態の電池システムの概要図である。
【発明を実施するための形態】
【００１０】
本発明の実施形態に係る収納装置及び当該収納装置を用いた電池システムは、釣り下げ部を配置した収納棚の棚板または天板に、隣り合う電池モジュールの電極端子を接続する電力配線を釣り下げ、電池モジュール内の安全弁が開放された場合に噴出するガスが直接または間接的に当該釣り下げられた電力線に当ることで、当該ガスの熱により当該電力配線を当該釣り下げ部の近辺で意図的に断線させることを特徴の１つとしている。
以下、図面を参照しながら詳述する。なお、図中に示されるＸＹＺ直交座標系は、いずれの図においても同一として説明する。
【００１１】
［第１実施形態］
本発明の第１実施形態による収納装置につき、図１及び図２を参照して説明する。
図１は、収納棚と複数の電池モジュール５を備えた収納装置１の構成を示す図である。収納棚は、Ｚ方向（すなわち、高さ方向）に延びる４つの支柱２と、それらに支えられる天板３及び複数の棚板４を備えている。ここでは、略矩形の天板３の４隅に各支柱２の端部がそれぞれ配置され、ネジ止め又は溶接等により互いが固定されている。そして、略矩形の棚板４の４隅にもこれら各支柱２がそれぞれ配置され、ネジ止め又は溶接等により互いが固定されている。なお、支柱２、天板３、および棚板４は、例えば、剛性のある金属板（例えば、鉄板）にプラスチック樹脂等の絶縁膜が塗布された材料を適宜打ち抜く又は折り曲げる等して形成される。
そして、棚板４には、複数の電池モジュール５が規則的に配置される。ここでは、１つの棚板４に、３つの電池モジュール５が互いに同じ向き（すなわち、電池モジュール用の正極端子１１と負極端子１２を−Ｙ方向へ突出させた向き）、且つ、互いに等間隔に配置されている。図１の収納装置１では、２つの棚板４を備えた２段の収納棚を用いるので、総計６つの電池モジュール５を収納することができる。
なお、設計に応じて、棚板４の枚数を増やし、３段、４段等の２段以上の収納棚としてもよい。さらに、１つの棚板４に配置する電池モジュール５の数も、設計に応じて２つ又は４つ以上としてもよい。
【００１２】
電池モジュール５は、安全弁６を備えた角型の電池７（例えば、リチウムイオン二次電池）と、電池モジュール用の正極端子１１と負極端子１２を備えた前板８と、後板９と、前板８と後板９を固定する固定部１０とを備えている。
さらに、図示しないが、電池７は正極端子と負極端子を備えている。そして、複数の電池７は、設計に応じて互いに電気的に直列または並列に、各々の正極端子または負極端子をそれぞれ対応するバスバーで適切に接続され、組電池となっている。また、当該組電池は、前板８を貫通して配置された電池モジュール用の正極端子１１と負極端子１２にそれぞれ適切に電気的に接続されている。
ここでは、安全弁６を＋Ｚ方向に向け且つＹ方向に４つの電池７がそれぞれ並べられた状態で組電池が構成されている。そして、当該組電池を略矩形の前板８と略矩形の後板９でＹ方向から挟み込み、且つ、前板８と後板９の四隅にそれぞれ棒状の固定部１０をネジ等で固定して、電池モジュール５が構成される。モジュールとすることで、ユーザー等による組電池の取り扱いが容易になる。
なお、安全弁６は、電池７に異常が発生した場合、具体的には電池７の電池容器の内部にガスが発生して電池容器の内圧が上昇した場合に、電池容器自体が破裂することを防止するため、所定の内圧で破裂又は開放して電池容器の内部のガスを電池容器の外部へ放出するための安全装置である。当該ガスは、一般的に約１分間程度、安全弁から勢いよく放出される。
【００１３】
１つの棚板４に配置された３つの電池モジュール５は、電力配線１４によって電気的に直列に接続される。すなわち、隣り合う２つの電池モジュール５の一方の電池モジュール５の電池モジュール用正極端子１１と他方の電池モジュール５の電池モジュール用負極端子１２は、電力配線１４ａによって接続されている。
また、ある棚板４に配置される電池モジュール５のうち左端に位置する電池モジュールの電極端子（例えば、正極端子１１）は、その棚板４の上段または下段の棚板４に配置される電池モジュール５のうち、対応する位置に配置された電池モジュール５の電極端子（例えば、正極端子１１）と、支柱２を這わせた電力配線１４ｂで接続される。同様に、ある棚板４に配置される電池モジュール５のうち右端に位置する電池モジュールの電極端子（例えば、負極端子１２）は、その棚板４の上段または下段の棚板４に配置される電池モジュール５のうち、対応する位置に配置された電池モジュール５の電極端子（例えば、負極端子１２）と、支柱２を這わせた電力配線１４ｂで接続される。
すなわち、１つの棚板４に配置された電池モジュール５は電力配線１４ａによって互いに電気的に直列に接続されて１つのアームを形成し、また、各棚板４のアーム同士は、支柱２を這わせて配置された電力配線１４ｂによって互いに電気的に並列に接続される。
ここでは、収納装置１の−Ｙ方向側にユーザーが立つことを想定しているので、後述の電力配線１４の釣り下げを容易に行うため、図２（ａ）に示すように、４つの支柱２のうち−Ｙ方向側に配置された２つの支柱２を這わせて当該並列の接続を行っている。
【００１４】
なお、後板９には、各電池７の電圧、電流、温度等のパラメータ情報を監視・制御するＢＭＵ１５（Battery
Management Unit）が固定されており、ＣＡＮ通信配線１３によって各ＢＭＵ１５が接続されている。ただし、ＣＡＮ通信配線１３を通る信号にノイズが乗らないよう、電力配線１４から離れた位置に、すなわち、４つの支柱２のうち＋Ｙ方向側に配置された２つの支柱２を這わせて各棚板４のＣＡＮ通信配線１３同士が接続されている。
図示しないものの、ＣＡＮ通信配線１３は、収納装置１の内部または外部に配置される上位制御装置に接続されている。
【００１５】
次に、電力配線１４ａの釣り下げ部への釣り下げにつき、図２（ｂ）及び図２（ｃ）を用いて説明する。
本実施形態においては、天板３及び棚板４のＸ方向に平行な２辺のうち、−Ｙ側に位置する辺で一様に折り曲げがなされている。具体的には、図２（ｂ）に示すように、ＹＺ平面から見て鉤状またはフック状に折り曲げられている。そして、図２（ｃ）に示すように、ＸＺ平面を−Ｙ方向に向かって見ると、当該鉤状またはフック状に折り曲げられた部分の一部に、ＸＺ平面で略矩形の切り欠けを近接して２つ形成している。当該切り欠けにより、結果として、１つの凸部１８の両脇に２つの凹部１９が配置された形状が構成される。以下、この凸部１８を含む部分を第一鉤部１７という。
第一鉤部１７は、上記−Ｙ側に位置する辺の近辺であって、且つ、１つの棚板４に配置された隣り合う２つの電池モジュール５の実質的にＸ方向の中間に配置される。ここでは、１つの棚板４に３つの電池モジュール５が配置されているので、天板３及び１つの棚板４に、それぞれ少なくとも２つの第一鉤部１７が、図１の一点鎖線による円Ａに示す位置に形成される。
そして、隣り合う２つの電池モジュール５の電極端子（正極端子１１または負極端子１２）を接続する１本の電力配線１４ａを、これら電極端子に接続した状態で、これら電池モジュール５が配置された棚板４の一段上に配置されている棚板４又は天板３に形成された第一鉤部１７の凸部１８に引っ掛け、これにより図１に示すように当該電力配線１４ａを釣り下げた状態とする。
かように釣り下げることで、大電流が流れうる電力配線１４ａと電気製品である電池モジュール５とが接触することを防止し、結果としてショート等の事故を防止することができる。
【００１６】
上記構成の収納装置１によれば、万一、電池モジュール５のある電池７に異常が生じ、当該電池７の安全弁６が開放された場合、図２（ａ）に示すように、当該安全弁から噴出した高温のガス１６は、当該電池モジュール５が配置された棚板４の一段上、言い換えれば直上に配置される棚板４又は天板３に直接的（すなわち、実質的になんら遮られずに）に当たるとともに、棚板４又は天板３の面を伝ってＸＹ平面上に四方に広がる。そして、当該ガスの一部が第一鉤部１７に達し、滞留する。
当該ガスは、一般的に安全弁１６付近で約１５００℃であり、仮に当該安全弁から上記当った位置までの距離が約１０ｃｍ〜５０ｃｍ且つ当該当った位置から一鉤部１７までの距離が約５０ｃｍ〜１ｍであっても、その温度は約８００℃である。
従って、一般的に電力配線１４ａは電力供給用であるため直径が大きい銅線（例えば、直径４０〜６０ｍｍ２）で構成されるのであるが、かように太い配線であっても、数秒のうちに溶けて断線することになる。特に、本実施形態の収納装置１では、第一鉤部１７が上記折り曲げられていることで、上記ガスがこの部分で滞留するので、効果的に電力配線１４ａを熱し、断線させることができる。なお、より短時間で電力配線を断線させる場合には、上記当った位置までの距離及び当該当った位置から一鉤部１７までの距離ができるだけ小さくなるよう、収納棚及び電池モジュール５を設計するのが望ましい。また、かような高温であっても、当該ガスの放出する時間は約１分間という短時間であり、この短時間で深刻なダメージが与えられないよう収納棚が設計される。
すなわち、収納装置１では、制御装置（すなわち、上記上位制御装置またはＢＭＵ１５など）による制御によることなく、また、電力配線１４ａを流れる電流の電流値に依存することなく、電力配線１４ａを上記ガスによって断線させることで、自動的に当該電池モジュール５からの電力供給を遮断することができる。
従って、いかなる電池システムにも必ず使用される電力配線を用いるためコストアップを招くこともなく、また、電力配線が自動的に切断されて異常の電池７を備えた電池モジュール５からの電力供給が遮断されるので、電池システムの安全性を確保することができる。
なお、以上の説明においては、電力配線１４ｂを釣り下げる釣り下げ部を配置していなかったが、電力配線１４ａを釣り下げる釣り下げ部と同様に、電力配線１４ｂを釣り下げる釣り下げ部を配置してもよい（ここでは、「釣り下げ部」は、この構成も含むとする）。この場合には、電力配線１４ａのみならず電力配線１４ｂも断線する可能性が高まり、電池システムの安全性をさらに高めることができる。
【００１７】
［第２実施形態］
本発明の第２実施形態による収納装置につき、図３を参照して説明する。第１実施形態の収納装置１と異なる点は、天板または棚板に釣り下げ部として第二鉤部を配置し、第二鉤部に電力配線を釣り下げる点である。その他は第１実施形態と同じ構成であるので、図１および図２で用いた番号を付して説明を省略する。
第二鉤部２０は、一点鎖線の円Ｂに示すように、ＹＺ平面から見てＬ字型の部材である。そして、第二鉤部２０は、図１の支柱２、天板３、又は棚板４と同様、例えば、剛性のある金属板（例えば、鉄板）にプラスチック樹脂等の絶縁膜が塗布された材料を適宜打ち抜く又は折り曲げる等して形成される。
ここで、収納装置１の天板３又は棚板４に形成された第一鉤部１７は、これら天板３又は棚板４の端に配置されていたが、第二鉤部２０は、第一鉤部１７の位置から＋Ｙ方向に平行移動した天板３又は棚板４の面内の位置において、天板３又は棚板４にネジ止め又は溶接等にて固定される。
そして、図３（ａ）及び図３（ｂ）に示すように、隣り合う２つの電池モジュール５の電極端子（正極端子１１または負極端子１２）を接続する１本の電力配線１４ａを、これら電極端子に接続した状態で、これら電池モジュール５が配置された棚板４の一段上に配置されている棚板４又は天板３に形成された第二鉤部２０に引っ掛け、これにより当該電力配線１４ａを釣り下げた状態とする。
かように第二鉤部２０を天板３又は棚板４の端ではなく面内に配置することで、第一鉤部１７に電力配線１４ａを釣り下げた場合に比べ、当該電力配線１４ａが接続された電池モジュール５に内蔵のいずれの電池７の安全弁６からの距離も近くなる。
従って、本実施形態の収納装置によれば、万一、電池モジュール５のある電池７に異常が生じ、当該電池７の安全弁６が開放された場合、上記距離が近いことにより、第１実施形態の収納装置に比べ、より高温の上記ガスが釣り下げられた電力配線１４ａに当たり、より早期に断線させることができる。よって、第１実施形態の収納装置１と同様の効果のみならず、早期に断線させることができるので安全性をより高めることができる。
【００１８】
［第３実施形態］
第１又は第２実施形態の収納装置を複数配置、言い換えれば、第１実施形態の収納装置のみを複数、第２実施形態の収納装置のみを複数、または第１実施形態の収納装置と第２実施形態の収納装置を混在させて、１つの電池システムを構成することができる。この場合には、電気的に並列接続されたアームが多数形成されることになる。例えば、図４に示すように、同一の収納装置１である収納装置１ａと収納装置１ｂを電気的に並列に接続し、これらの電力配線にモーター等の電力負荷２１を接続して電力供給する構成してもよい。この場合には、上述の上位制御装置がＣＡＮ通信配線１３から入力される各電池７のパラメータを監視しながら、ユーザーの要求に応じて電力負荷２１を駆動する。
そして、例えば、収納装置１ｂの電池モジュール５の１つ（すなわち、図４中、×印が付いた電池モジュールＢＭ）が内蔵する電池７の安全弁が開放された場合、この電池モジュールに接続された電力配線１４ａがなんら上位制御装置やＢＭＵの制御によることなく自動的に断線する（すなわち、電気的に切り離される）。従って、当該電池モジュールが含まれるアームから電力負荷２１へ電力供給することはできなくなるが、依然として他のアームから電力負荷２１へ電力供給がなされるので、電池システムが突然停止することはない。
従って、異常の生じた電池７を含む電池モジュール５からの電力供給を、制御装置（すなわち、上記上位制御装置またはＢＭＵ１５など）による制御によることなく、自動的に遮断して電池システムの安全性を確保するのみならず、電力負荷２１への一定の電力供給は依然として維持される。よって、例えば、移動体に本発明の収納装置を適用した場合においても突然停止することがないため、電池システムの安全性をさらに向上することができる。
【００１９】
本発明は上述した実施形態に限定されず、本発明の趣旨を逸脱しない限りで種々の変形が可能である。例えば、釣り下げ部は、電力配線１４ａを釣り下げることができればよいので、電力配線１４ａをひっかける形状に限らずいかなる形状でもよく、また、電力配線１４ａを天板３又は棚板４の面内に止め具を用いて固定する構成としてもよい。この場合は、当該止め具が釣り下げ部となる。ただし、上述したようにひっかける形状が、メンテナンス等を容易にする観点からは望ましい。
また、天板３、棚板４、または電池モジュール５の形状は上述した形状に限らず、本発明の趣旨を逸脱しない限り、円形、多角形など、種々の形状とすることができる。
さらに、電池モジュール５は、前板８、後板９及び固定部１０にて組電池を固定する構成に限らず、箱状の容器に組電池を収納した構成としてもよい。ただし、この場合も、安全弁６から噴出するガスが実質的且つ直接的に上段かつ直上の天板３又は棚板４に当るよう設計される。
【符号の説明】
【００２０】
１（１ａ、１ｂ）…収納装置、２…支柱、３…天板、４…棚板、５…電池モジュール、
６…安全弁、７…二次電池、８…前板、９…後板、１０…固定部、
１１…電池ジュール用正極端子、１２…電池モジュール用負極端子、
１３…ＣＡＮ通信配線、１４（１４ａ、１４ｂ）…電力配線、１５…ＢＭＵ、
１６…噴出ガス、１７…第一鉤部（釣り下げ部）、１８…凸部、１９…凹部、
２０…第二鉤部（釣り下げ部）、２１…電力負荷、
【図１】
0005433674.tif 000002
【図２】
0005433674.tif 000003
【図３】
0005433674.tif 000004
【図４】
0005433674.tif 000005